【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
眼の検査を行うためのヘッドマウントディスプレイ（ＨＭＤ）であって、該ヘッドマウントディスプレイは、
使用中に患者の頭に載置されるフレームと、
左眼に対してデジタル画像を提示するように構成された左光学表示面と、
右眼に対してデジタル画像を提示するように構成された右光学表示面と、
画像表示システムであって、
前記右光学表示面において前記右眼に対して何も可視的に提示しないと同時に、前記左光学表示面において前記左眼に対してのみデジタル画像を可視的に提示することが可能であり、
前記左光学表示面において前記左眼に対して何も可視的に提示しないと同時に、前記右光学表示面において前記右眼に対してのみデジタル画像を可視的に提示することが可能であり、かつ、
前記左光学表示面及び前記右光学表示面において前記左眼及び前記右眼に対して同時にデジタル画像を可視的に提示することが可能である、
画像表示システムと、
眼の検査中に前記患者により与えられる可聴応答を自律的に記録することが可能となるように構成されたオーディオセンサと、
前記患者により聴かれ得る可聴質問を自律的に提示することが可能となるように構成されたスピーカと、
前記可聴応答内の１つ又は複数の関連するキーワードを自律的に識別することが可能となるように構成された音声認識モジュールと、
分析モジュールであって、
前記１つ又は複数の関連するキーワードを、前記可聴質問に対する正しい応答を表すことが知られているキーワードのマスターセットと比較し、
関連するキーワードのうち少なくとも１つが、前記キーワードのマスターセットに整合しないことを決定し、
前記キーワードに応じて、眼の検査をリアルタイムで適合させる
ことを自律的に行うことが可能となるように構成された、分析モジュールと
を備えており、
前記フレームが、
デジタル画像が前記左眼に対してのみ提示される際、前記右眼には何も見えないように、かつ、
デジタル画像が前記右眼に対してのみ提示される際、前記左眼には何も見えないように設計されている、
ヘッドマウントディスプレイ。
【請求項２】
前記眼の検査中に取得されたテスト結果に実質的に影響する可能性のある周囲条件を追跡するように構成された１つ又は複数のセンサをさらに備えている、請求項１に記載のヘッドマウントディスプレイ。
【請求項３】
前記周囲条件は、グレア、明るさ、湿度又はそれらのいくつかの組み合わせを含む、請求項２に記載のヘッドマウントディスプレイ。
【請求項４】
前記患者は、前記眼の検査の一部又は全部の間に、前記左光学表示面、前記右光学表示面又はその両方に提示される視覚環境を選択することができる、請求項１に記載のヘッドマウントディスプレイ。
【請求項５】
前記視覚環境は、前記患者によって選択される人工仮想環境である、請求項４に記載のヘッドマウントディスプレイ。
【請求項６】
前記スピーカは、前記患者からの可聴応答を引き出すように設計された指示又は質問を提示するように構成されている、請求項１に記載のヘッドマウントディスプレイ。
【請求項７】
前記可聴応答は、前記左光学表示面又は前記右光学表示面に表示されているもの、前記患者が経験している視力の問題又はその両方を指定するものである、請求項６に記載のヘッドマウントディスプレイ。
【請求項８】
前記オーディオセンサは、前記眼の検査全体を通して前記患者により与えられた発声を記録するように構成されている、請求項６に記載のヘッドマウントディスプレイ。
【請求項９】
前記可聴応答内の１つ又は複数の関連するキーワードが、潜在的な目の状態を示す用語、又は、前記可聴質問に対する誤った応答を示す用語を含んでいる、請求項１に記載のヘッドマウントディスプレイ。
【請求項１０】
前記分析モジュールが、さらに、
前記患者が前記眼の検査についての所与のテストに合格したかどうかを示す通知を生成し、
前記通知をメモリ内に記憶し、
前記通知をリモートのコンピューティングデバイスに送信する
ように構成されている、請求項９に記載のヘッドマウントディスプレイ。
【請求項１１】
前記眼の検査は、１つ又は複数のテストが実行されている間にリアルタイムで適合させられる、請求項１に記載のヘッドマウントディスプレイ。
【請求項１２】
前記眼の検査を適合させることは、
前記眼の検査中に実行されるように予定されている既存のテストを修正すること、
前記眼の検査中に実行されるように予定されている既存のテストを除去すること、及び
前記眼の検査中に実行されることになる新たなテストを追加すること
のうち少なくとも１つを実行することを含んでいる、請求項１に記載のヘッドマウントディスプレイ。
【請求項１３】
ヘッドマウントディスプレイであって、
使用中に患者の頭に載置されるフレームと、
デジタル画像を提示するように構成された光学表示面と、
前記患者に対して表示するためのデジタル画像を生成するように構成された画像表示システムと、
前記患者により聴かれ得る可聴質問を自律的に提示するように構成されたスピーカと、
眼の検査中に前記患者により与えられる可聴応答を自律的に記録するように構成されたオーディオセンサと、
プロセッサと、
前記プロセッサによって実行された際に、前記プロセッサに対して、
前記可聴応答内の１つ又は複数の関連するキーワードを識別し、
前記１つ又は複数の関連するキーワードを、正しい応答を表すことが知られているキーワードのマスターセットと比較することによって、前記可聴応答が前記正しい応答を示しているかどうかを決定し、
関連するキーワードのうち少なくとも１つが、前記キーワードのマスターセットに整合しないことを決定し、
前記キーワードに応じて、眼の検査をリアルタイムで適合させる
ことを自律的に行わせる命令を含んでいる、メモリと
を備えている、ヘッドマウントディスプレイ。
【請求項１４】
前記スピーカにより提示される前記可聴質問は、記録、生の発声又はそれら両方を含んでいる、請求項１３に記載のヘッドマウントディスプレイ。
【請求項１５】
前記画像表示システムは、右眼に対して何も可視的に提示しないと同時に、左眼に対してのみデジタル画像を可視的に提示することが可能であり、前記左眼に対して何も可視的に提示しないと同時に、前記右眼に対してのみデジタル画像を可視的に提示することが可能であり、かつ、前記左眼及び前記右眼に対して同時にデジタル画像を可視的に提示することが可能であり、これによって、前記左眼及び前記右眼を個別に検査することが可能である、請求項１３に記載のヘッドマウントディスプレイ。
【請求項１６】
前記光学表示面は、前記フレームに接続された複数の光学表示面の１つである、請求項１３に記載のヘッドマウントディスプレイ。
【請求項１７】
前記命令を実行することによって、前記プロセッサに対して、さらに、前記可聴応答、前記少なくとも１つの関連するキーワード、及び、前記患者が前記眼の検査に合格したかどうかを示す要約を、データベース内に記憶させることを行わせることとなり、
前記データベースは、眼科医又は検眼医によってリモートにアクセス可能である、請求項１３に記載のヘッドマウントディスプレイ。
【請求項１８】
前記少なくとも１つの関連するキーワードは、眼の状態が存在している可能性を示しており、
前記眼の検査をリアルタイムで適合させることは、前記眼の状態の症状が存在しているかどうかを明らかにするように設計された新たなテストを前記眼の検査に追加することを含んでいる、請求項１３に記載のヘッドマウントディスプレイ。